【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段とを備える撮像装置において、
操作に応じて前記記録媒体に記録する画像データの画像サイズを指定する指定手段と、
この指定手段により指定された画像サイズに応じて前記表示手段に表示される前記枠のサイズを変更する表示枠制御手段と
を備えることを特徴とする撮像装置。
【請求項２】
被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段とを備える撮像装置において、
操作に応じて複数の撮影モードのいずれかを設定する撮影モード設定手段と、
この設定手段により、前記スルー画像上に前記撮影ガイド用の枠を表示する撮影モードが設定された場合、前記記録媒体に記録する画像データの画像サイズを所定の画像サイズに設定変更する画像サイズ設定手段と
を備えることを特徴とする撮像装置。
【請求項３】
被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段と、操作に応じて前記記録媒体に記録する画像データの画像サイズを指定する指定手段とを備える撮像装置が有するコンピュータを、
前記指定手段により指定された画像サイズに応じて前記表示手段に表示される前記枠のサイズを変更する表示枠制御手段と
して機能させることを特徴とする撮像制御プログラム。
【請求項４】
被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段と、操作に応じて複数の撮影モードのいずれかを設定する撮影モード設定手段とを備える撮像装置が有するコンピュータを、
前記設定手段により、前記スルー画像上に前記撮影ガイド用の枠を表示する撮影モードが設定された場合、前記記録媒体に記録する画像データの画像サイズを所定の画像サイズに設定変更する画像サイズ設定手段と
して機能させることを特徴とする撮像制御プログラム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
前記課題を解決するために請求項１にかかる発明にあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段とを備える撮像装置において、操作に応じて前記記録媒体に記録する画像データの画像サイズを指定する指定手段と、この指定手段により指定された画像サイズに応じて前記表示手段に表示される前記枠のサイズを変更する表示枠制御手段とを備える。
【手続補正１９】
【補正対象書類名】明細書
【補正対象項目名】００２５
【補正方法】変更
【補正の内容】
【００２５】
また、請求項２にかかる発明にあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段とを備える撮像装置において、操作に応じて複数の撮影モードのいずれかを設定する撮影モード設定手段と、この設定手段により、前記スルー画像上に前記撮影ガイド用の枠を表示する撮影モードが設定された場合、前記記録媒体に記録する画像データの画像サイズを所定の画像サイズに設定変更する画像サイズ設定手段とを備える。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】変更
【補正の内容】
【００３１】
また、請求項３の発明にかかる撮像制御プログラムにあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段と、操作に応じて前記記録媒体に記録する画像データの画像サイズを指定する指定手段とを備える撮像装置が有するコンピュータを、前記指定手段により指定された画像サイズに応じて前記表示手段に表示される前記枠のサイズを変更する表示枠制御手段として機能させる。したがって、前記コンピュータがこのプログラムに従って処理を実行することにより、請求項１にかかる発明と同様の作用効果を奏する。
【手続補正２５】
【補正対象書類名】明細書
【補正対象項目名】００３２
【補正方法】変更
【補正の内容】
【００３２】
また、請求項４の発明にかかる撮像制御プログラムにあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段と、操作に応じて複数の撮影モードのいずれかを設定する撮影モード設定手段とを備える撮像装置が有するコンピュータを、前記設定手段により、前記スルー画像上に前記撮影ガイド用の枠を表示する撮影モードが設定された場合、前記記録媒体に記録する画像データの画像サイズを所定の画像サイズに設定変更する画像サイズ設定手段として機能させる。したがって、前記コンピュータがこのプログラムに従って処理を実行することにより、請求項２にかかる発明と同様の作用効果を奏する。
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】変更
【補正の内容】
【００３７】
以上説明したように請求項１及び請求項３にかかる発明によれば、撮影記録が終了後、記録された画像データに基づき印刷を行う際に使用するプリンターが、記録画像サイズからプリント画像サイズが一義的に定まるものである場合、当該（記録）画像サイズを指定すれば、これに応じてスルー画像上に表示されている撮影ガイド用の枠のサイズを変化させることができる。したがって、撮影者は、枠内に被撮影者の上半身が適正な範囲で収まるように、撮像装置の向き、あるいは被撮影者からの距離等を調整することにより、枠内に適正な範囲で被撮影者の上半身が収まった状態で印刷できるように撮影記録することが可能となる。
【手続補正３１】
【補正対象書類名】明細書
【補正対象項目名】００３８
【補正方法】変更
【補正の内容】
【００３８】
また、請求項２及び請求項４にかかる発明によれば、スルー画像上に撮影ガイド用の枠を表示する撮影モードが設定されて証明写真を作成することを目的とする撮影である場合には、記録する画像サイズを所定の画像サイズに設定変更することができる。したがって、一般の写真よりも比較的に小さい画像サイズである証明写真を作成するための画像サイズからなる画像データを効率的に記録することができる。その結果、撮影記録後の印刷時において、効率的に印刷用紙及びインク使用して印刷を行うことができ、これにより経済的に証明写真を作成することができる。